(57)【要約】【課題】コイルブラッシュが各ピンブラッシュの間を区切って、毛髪の進入を一定にして、お互いに違う列への毛髪の流入を防止することで、毛髪の絡まり状態や、ほつれ状態を良好にし、特に髪の肌理または表面の擦れを防止することができるヘアー演出道具を提供すること。【解決手段】このヘアー演出道具（１００）は、毛髪が巻かれて、外側に複数のピンブラッシュ（１２０）が設けられた胴体（１１０）と、その胴体（１１０）の外周面から離隔してその外周面を囲むように設けられ、ピンブラッシュ（１２０）の間を区切るコイルブラッシュ（１３０）とを少なくとも含んで構成される。【選択図】図３
2015029900.tif 000002
【特許請求の範囲】
【請求項１】
毛髪が巻かれて、外側に複数のピンブラッシュが設けられた胴体；
上記胴体の外周面から離隔してその外周面を囲むように設けられ、上記ピンブラッシュの間を区切るコイルブラッシュ；
を少なくとも含んで構成されたことを特徴とするヘアー演出道具。
【請求項２】
請求項１記載のヘアー演出道具において、
上記コイルブラッシュは、
弾性体として、金属製もしくは、樹脂系列である耐熱性ポリマー(polymer)であることを特徴とするヘアー演出道具。
【請求項３】
請求項１記載のヘアー演出道具において、
上記胴体の両側にそれぞれ設けられ、上記コイルブラッシュを支持する固定部がさらに含まれることを特徴とするヘアー演出道具。
【請求項４】
請求項３記載のヘアー演出道具において、
上記固定部は、
上記胴体の一方の端部に設けられ、上記コイルブラッシュの一方を支持する下敷副材；
上記胴体の他方の端部と締結されて、上記コイルブラッシュの他端を固定する締結部；
を含んで構成されたことを特徴とするヘアー演出道具。
【請求項５】
請求項１記載のヘアー演出道具において、
上記ピンブラッシュは、
上記胴体の外側に放射状に具備されるか、上記コイルブラッシュに対応するように上記胴体の長さ方向に沿って螺旋状に具備されたことを特徴とするヘアー演出道具。
【請求項６】
請求項１記載のヘアー演出道具において、
上記ピンブラッシュは、
その先端部が上記コイルブラッシュの外周よりも外側に突出するように長く形成された長いピンが上記胴体の外側に放射状に設けられて構成されたことを特徴とするヘアー演出道具。
【請求項７】
請求項１記載のヘアー演出道具において、
上記ピンブラッシュは、
その先端部が上記コイルブラッシュの外周よりも外側に突出しないように短く形成された短いピンが上記胴体の外側に放射状に設けられて構成されたことを特徴とするヘアー演出道具。
【請求項８】
請求項１〜請求項７のいずれか一の請求項に記載のヘアー演出道具において、
上記ピンブラッシュは、
上記長いピンと短いピンが交差するように上記胴体の外側に放射状に設けられたことを特徴とするヘアー演出道具。
【請求項９】
請求項８記載のヘアー演出道具において、
上記胴体は、
毛髪にウエーブが形成されるように所定の溝と直径を持つ円筒形態であって、その両端のうち少なくともどちらか一方の端部には、把持することができるように取っ手が形成されていることを特徴とするヘアー演出道具。
【発明の詳細な説明】
【技術分野】
【０００１】
本発明は、ヘアー演出道具（Tool  for  directing  the  hair）に関するもので、詳細には、放射状の各ピンブラッシュの間の領域を区切るコイルブラッシュが装備されて、毛髪に絡み易くし、かつ櫛通りも良好で、毛髪を簡単に捩れ易くし、毛髪の損傷などを防止しながら自然なヘアスタイルを演出させることができるヘアー演出道具に関する。
【背景技術】
【０００２】
一般的にヘアー演出道具は、毛髪を梳かす、すなわちとかして整えたり、ドライヤーあるいは薬品を使って毛髪にボリュームを持たせたり、ストレートにする等の演出が可能である。
このようなヘアー演出道具では、図１に図示されるように毛髪を梳かしたり、ドライヤーを使用し毛髪にボリュームを形成するとか、またはストレートへの演出のためのヘアーブラッシュなどがある。
【発明の概要】
【発明が解決しようとする課題】
【０００３】
しかし、従来のヘアー演出道具で(１０）は、毛髪の捩れ現象によって髪の肌理または表面（表面）が損傷されるとか、部分的に欠落する問題がある。これは図２を参照して説明する。
【０００４】
従来のヘアー演出道具を使用してヘアスタイルを演出した場合、図２に示すように胴体(１)に具備された複数のピンブラッシュ(２)を通じて毛髪をとかしたり、ボリュームあるいはストレートへの演出のために毛髪を巻く過程で、毛髪がお互いに違う列のピンブラッシュ(２)の間を通過するようになる。すなわち、毛髪がお互いに違う列のピンブラッシュ(２)を通過するので、その領域の毛髪がお互いに捩れて結び目を形成して、それによって毛髪が頭皮から抜けたり、頭皮に刺激を発生させて、髪の肌理または表面を損傷し、痛みを伴うことは勿論、心的不快感さえ誘発するという問題がある。
【０００５】
そこで、本発明は、上記のような問題点を解決するためになされたもので、本発明の目的は、次の通りである。
【０００６】
(i)コイルブラッシュが各ピンブラッシュの間を区切って、毛髪の進入を一定にして、お互いに違う列への毛髪の流入を防止することで、毛髪の絡まり状態や、ほつれ状態を良好にし、特に髪の肌理または表面の擦れを防止することができるヘアー演出道具を提供することにある。
(ii)ウエーブ形態のヘアスタイルを演出する場合、コイルブラッシュを通じて毛髪の絡み方が、螺旋状に成り立って自然なスタイルの演出が可能なヘアー演出道具を提供することにある。
(iii)コイルブラッシュが弾性の金属あるいは耐熱ポリマー材質で成り立って、落下あるいは外圧の衝撃にも破損率を最小化させることは勿論、毀損される場合、分離が容易くて入れ替えだけで使用の連続性を維持させることができるヘアー演出道具を提供することである。
(iv)ピンブラッシュが非金属の耐熱性材質で成り立って、頭皮と接する端部に保護副材も具備されて、熱源によるやけどによる頭皮損傷を防止することができるヘアー演出道具を提供することである。
(v)ウエーブ形態のヘアスタイルを演出する場合、コイルブラッシュあるいは螺旋状のピンブラッシュ配列を通じて毛髪の絡まり状態が、螺旋状に成り立って自然なスタイルの演出が可能なヘアー演出道具を提供することである。
(vi)ピンブラッシュがコイルブラッシュの外周よりも長いものと短いもの形成されて、多様な演出に対応して選択的に適用することができるヘアー演出道具を提供することである。
【課題を解決するための手段】
【０００７】
上記のような目的を果たすために本発明に係るヘアー演出道具は、毛髪が巻きついて、外側に複数のピンブラッシュが設けられた胴体、上記胴体と離隔した外側をくるんで、上記ピンブラッシュの間を区切るコイルブラッシュ：及び上記胴体の両側にそれぞれ設けられ上記コイルブラッシュを支持する固定部：で構成される。
ここで、上記コイルブラッシュは、弾性体として、金属製または樹枝系列である耐熱ポリマー（polymer）であるのが望ましい。
また、上記固定部は、上記胴体の一方側に設けられ上記コイルブラッシュの一方を支持する下敷部材：及び上記胴体他側と締結されて、上記コイルブラッシュの他方を固定する締結部：を含んで構成されることが望ましい。
また、上記ピンブラッシュは、上記胴体の外側に放射状に具備され、上記コイルブラッシュに対応するように上記胴体の長さ方向に沿って螺旋状に具備されたことが望ましい。
また、上記ピンブラッシュは、上記コイルブラッシュの外周よりも外側に突出するように長く形成された長いピンが上記胴体の外側に放射状に具備されたことが望ましい。
また、上記ピンブラッシュは、上記コイルブラッシュの外周よりも外側に突出しないように短く形成された短いピンが上記胴体の外側に放射状に具備されたことが望ましい。
また、上記ピンブラッシュは、上記長いピンと短いピンが交差するように上記胴体外側に放射状に具備されることが望ましい。
また、上記胴体は、毛髪にウエーブが形成されるように所定の溝と直径を持つ円筒形態であって、その両端のうち少なくともどちらか一方の端部には、把持することができるように取っ手が形成されていることが望ましい。
【発明の効果】
【０００８】
本発明に係るヘアー演出道具の構成によれば、次のような効果を期待することができる。
すなわち、本発明はコイルブラッシュが各ピンブラッシュの間を区切って毛髪の進入路を一定にすることによりお互いに違う列への流入を防止することで、毛髪の絡み状態は勿論、ほつれ状態が良好で、特に髪の肌理または表面が擦れたり、毛髪の欠落または頭皮から抜けることは勿論、それによる痛みや毛髪の損傷が防止されるので快適なヘアスタイルの演出の可能な効果がある。
また、本発明では、ウエーブ形態のヘアスタイルを演出する場合、コイルブラッシュあるいは螺旋状のピンブラッシュ配列を通じて毛髪の絡みが螺旋状になるので、自然なスタイルの演出の可能な効果がある。
また、本発明では、コイルブラッシュを弾性の金属あるいは耐熱ポリマー材質で構成した場合、落下あるいは外圧の衝撃にも破損率を最小化させることは勿論、毀損される場合、分離が容易くて入れ替えだけで使用の連続性を維持させることができる効果がある。
また、本発明では、ピンブラッシュを非金属の耐熱性材質で構成した場合、頭皮と接する端部に保護副材がさらに具備されて、熱源によるやけどあるいは頭皮の損傷を防止することができる効果がある。
また、本発明では、ピンブラッシュをコイルブラッシュの外周よりも長いものと短いもので形成した場合、多様な演出に対応して選択的な使用の可能な効果がある。
【図面の簡単な説明】
【０００９】
【図１】図１は従来のヘアー演出道具を説明するために現わした斜視図である。
【図２】図２は従来ヘアー演出道具の使用状態を表した正面図である。
【図３】図３は本発明に係る好適な実施例によるヘアー演出道具の一例を説明するために現わした斜視図である。
【図４】図４は本発明に係る好適な実施例によるヘアー演出道具を説明するために現わした分解斜視図である。
【図５】図５は本発明に係る好適な実施例による固定部の構造と取り付けを説明するために現わした断面図である。
【図６】図６は本発明に係る好適な実施例によるコイルブラッシュの設置状態を説明するために現わした正面図である。
【図７】図７は本発明に係る好適な実施例によるピンブラッシュを説明するために現わした断面図であって、（ａ）〜（ｃ）それぞれ図６におけるＡ−Ａ線断面の一例を示す断面図である。
【図８】図８は本発明に係る好適な実施例によるピンブラッシュの他の配置例を説明するために現わした正面図である。
【発明を実施するための形態】
【００１０】
以下、本発明によるヘアーの演出道具の好適な実施例を添付された図面を参考して詳細に説明する。尚、本発明の説明において公知構成または機能に対する具体的な説明が本発明の要旨と関係しないと判断される場合には、その詳細な説明は略する。
【００１１】
また、本発明の説明において、定義した用語は本発明での機能を考慮して定義したものであり、これは当分野に係る技術者の意図または慣例などによって変わるもので、その定義は本明細書や図面の全般を参酌した内容に基づいて定められる。
【００１２】
図３は、本発明の望ましい一つの実施例によるヘアー演出道具の一例を説明するために現わした斜視図である。
【００１３】
先ず、本実施例はヘアー演出道具(１００)の一例であるヘアーブラッシュを参照して説明する。ここでヘアーブラッシュは、毛髪を梳かしたり、ヘアードライヤーとともに、毛髪にボリュームを形成したり、またはストレートへの変化を与えようとする時に使われるものである。
【００１４】
図示されたようにヘアー演出道具(１００)は、胴体(１１０)と、胴体(１１０)の外側に具備された複数のピンブラッシュ(１２０)と、胴体(１１０)の外側と離隔設置されたコイルブラッシュ(１３０)と、コイルブラッシュ(１３０)を支持する固定部(１４０)とで大きく構成される。
【００１５】
ここで、固定部(１４０)は選択的事項、すなわち省略可能であり、固定部(１４０)を胴体(１１０)とは別に具備すること以外に、コイルブラッシュ(１３０)の端部をヘアー演出道具(１００)の胴体(１１０)に挿入して固定するとか、胴体(１１０)の端部に堅く縛って固定することもできる。すなわち、固定部(１４０)については、図示されものとは異なる他の変形した実施例が可能である。なお、コイルブラッシュ(１３０)を胴体(１１０)の端部に堅く縛って固定する場合は、コイルブラッシュ(１３０)が胴体(１１０)の外周に堅く縛り付け、その縛り付ける際に発生する圧力だけで固定されることを意味する。ただし、ここでは一つの実施例として固定部(１４０)によりコイルブラッシュ(１３０)の端部をヘアー演出道具(１００)の胴体(１１０)についてだけ説明する。
【００１６】
このようなヘアー演出道具(１００)はヘアスタイルを演出する時、コイルブラッシュ(１３０)を通じて各ピンブラッシュ(１２０)の間に進入する多数の毛髪を境界で区切って、毛髪がお互いに違う列に進入することを防止する。これにより、毛髪の絡みが少なくなり、櫛通りが良好になり、毛髪が擦れたり損傷すること等を防止しながら自然なヘアスタイルを演出させることができる。固定部(１４０)によりコイルブラッシュ(１３０)の端部をヘアー演出道具(１００)の胴体(１１０)に固定するための詳細な構成は、図４を参照して説明するようにする。
【００１７】
図４は、本発明の望ましい実施例によるヘアー演出道具(１００)を説明するために現わした分解斜視図であって、固定部(１４０)によりコイルブラッシュ(１３０)の端部をヘアー演出道具(１００)の胴体(１１０)に固定するための詳細な構成を示している。
【００１８】
図示のように、胴体(１１０)は毛髪にウエーブが形成されるように所定の長さと直径を持つ形態であり、胴体(１１０)の材質は木または合成樹脂であることが望ましい。胴体(１１０)の構造は、その内部が満たされた中実でも、あるいは内部に空洞のある中空でもどちらでも良い。例えば、胴体(１１０)の材質が木の場合、内部の加工が容易ではないので、内部が満たされた中実状態であることが望ましい一方、合成樹脂の場合は、射出成型などのように内部加工が容易なので、内部が空いてる閉鎖型管体または中空構造にすることが非常に望ましい。
【００１９】
なお、図では、胴体(１１０)は棒形態で現わしたが、本発明では、これに（棒形態）に限定されるものではない。つまり、胴体(１１０)は、棒形態は勿論のこと、図示していないが、胴体(１１０)の小口（切断面）が四角、多角及び楕円など多様な形態で製作することができる。
【００２０】
また、胴体(１１０)の外側、すなわち外周面には、多数のピンブラッシュ(１２０)が一体型あるいは分離可能な形態で具備されている。ここで、多数のピンブラッシュ(１２０)の配列は、放射状または予め設定された形態で設けられ、ピンブラッシュ(１２０)の先端部には頭皮損傷を防止するための保護副材(１２１)が設けられている。
【００２１】
ここで、保護副材(１２１)は、各ピンブラッシュ(１２０)の先端部に球体の形態であり、これは通常のものであるので、詳細な説明は略する。
【００２２】
なお、ヘアー演出道具(１００)が図示のようにヘアーブラッシュの場合、ユーザが掴み易いように、取っ手(１１３)が形成されることが望ましい。取っ手(１１３)は、胴体(１１０)の両端中、少なくとも片一方の端部から延長されることが望ましく、胴体(１１０)に対し一体型でも、分離型でもどちらで構成することもできる。
【００２３】
そして、胴体(１１０)の両端には、コイルブラッシュ(１３０)を支持するための固定部(１４０)が具備される。
【００２４】
このような固定部(１４０)は、胴体(１１０)の片側の端部に設けられた下敷副材(１４１)と、その反対側の端部に固定部(１４０と分離可能に結合される締結部(１４３)とで構成される。
【００２５】
下敷副材(１４１)は、胴体(１１０)と一体型でも良いし、分離可能な形態に構成しても良い。下敷副材(１４１)は、取っ手(１１３)に近接した胴体(１１０)に設けられ、コイルブラッシュ(１３０)の片側を支持する。
【００２６】
締結部(１４３)は、コイルブラッシュ(１３０)の他側、すなわち取っ手(１１３)とは反対側に設けられ、かつ、その胴体(１１０)の他側と分離可能に締結される。
【００２７】
そのため、締結部(１４３)は、胴体(１１０)と分離可能に構成されるため、コイルブラッシュ(１３０)の設置または装着は勿論のこと、コイルブラッシュ(１３０)の入れ替えが必要な場合は、胴体(１１０)から取り外して、速やかにコイルブラッシュ(１３０)を入れ替ることもできる。
【００２８】
図５は、本発明に係る好適な実施例による固定部の構造と取り付けを示す断面図である。
【００２９】
図示のように、締結部(１４３)に設けられた螺子状の締結突起(１４５)と、胴体(１１０)の締結ホーム(１１１)が雌雄の螺子締結を通じてコイルブラッシュ(１３０)を固定する。そのため、コイルブラッシュ(１３０)の毀損あるいは破損などによって入れ替えが必要な場合は、胴体(１１０)の締結ホーム(１１１)に対する締結部(１４３)の結合状態を解除して取り外した後、コイルブラッシュ(１３０)を分離させることができる。なお、締結部(１４３)の締結突起(１４５)と胴体(１１０)の締結ホーム(１１１)との締結は、雌雄のスクリュー締結または螺子締結が望ましいが、これは限定されるものではく、コイルブラッシュ(１３０)を胴体(１１０)に固定できれば良い。
【００３０】
一方、コイルブラッシュ(１３０)は、図示されるように固定部(１４０)を通じて胴体(１１０)外側と隔離されるように設置される、これは図６を参照して説明する。
【００３１】
図６は、本発明に係る好適な実施例によるコイルブラッシュの設置状態を説明するために現わした正面図である。
【００３２】
図示のように、コイルブラッシュ(１３０)は、固定部(１４０)によって胴体(１１０)に固定設置されて、各ピンブラッシュ(１２０)の間を隔離して、毛髪の進入路を区画整理することで、少なくとも一つの毛髪がお互いに違う列に進入することを防止するために必要である。
【００３３】
例えば、毛髪を梳かす場合、あるいは毛髪を巻いてウエーブを形成する場合でも、コイルブラッシュ(１３０)によって毛髪が収容される領域を区切って、これを整理することで、お互いに違う列への毛髪の進を防止することができる。
【００３４】
すなわち、コイルブラッシュ(１３０)を設けない従来のように毛髪がお互いに違う列に収容されてお互いに擦れるとか、その擦れによる毛髪の損傷及び痛みによる不便さを解消して快適なヘアスタイルを演出することは勿論のこと、理想とするスタイルの演出をより容易にできる。
【００３５】
この時、コイルブラッシュ(１３０)は、ヘアードライヤーと一緒に高温の器機と直接あるいは間接的熱伝達が成立する耐熱性材質であることが望ましい。また落下あるいは外圧の衝撃が発生する場合は、その破損率あるいは毀損が最小化されるようにステンレスのような耐食性金属製とか、または樹枝系列または樹脂製である耐熱ポリマー(polymer)などであることが望ましい。
【００３６】
このようなコイルブラッシュ(１３０)は、その形態が螺旋状で成り立って、特に毛髪にウエーブを演出しようとする場合、螺旋状のコイルブラッシュ(１３０)に毛髪が誘導され、より自然なウエーブを演出することができる。
【００３７】
一方、コイルブラッシュ(１３０)とともに毛髪を梳かしたり、あるいは毛髪の絡みを容易にするピンブラッシュ(１２０)は、図7に図示されたように、その長さがコイルブラッシュ(１３０)のの外周よりも外側に突き出されて長く形成されるものと、または短く形成されるものがある。これを図７を参照して説明する。
【００３８】
図7は、本発明に係る好適な実施例によるピンブラッシュを説明するために現わした断面図であって、（ａ）〜（ｃ）それぞれ図６におけるＡ−Ａ線断面の一例を示す断面図である。
【００３９】
図示のように、ピンブラッシュ(１２０)は、多様な長さの形態で存在する。例えば、図７（ａ）に示すように、ピンブラッシュ(１２０)の先端部が少なくともコイルブラッシュ(１３０)の外周よりも外側に突出するように長いピン(１２３)を胴体(１１０)の外側に放射状に設けることにより構成できる。また、図７（ｂ）に示すように、ピンブラッシュ(１２０)の先端部がコイルブラッシュ(１３０)の外周よりも外側に突出しないように短いピン(１２５)を胴体(１１０)の外側に放射状に設けて構成しても良い。
【００４０】
また、図7（ｃ）に示すように、ピンブラッシュ(１２０)の先端部がコイルブラッシュ(１３０)の外周よりも外側に突出したりあるいは突出しないように、長いピン(１２３)と短いピン(１２５)とを予め設定した割合でお互いに交差するように設けることもできる。
【００４１】
図７（ａ）に示すように長いピン(１２３)だけでコイルブラッシュ(１３０)を構成したものや、図７（ｂ）に示すように短いピン(１２５)だけでコイルブラッシュ(１３０)を構成したもの、さらには図7（ｃ）に示すように長いピン(１２３)と短いピン(１２５)の組み合わせでコイルブラッシュ(１３０)を構成したものは、ヘアスタイルを演出する際に長い毛あるいは短い毛の演出のし易さに応じて選択的に構成するか、または予め設定したスタイルを演出する際に相応しい組み合わせを選択して使用することにより、所望のヘアスタイルを容易に演出することができ、そのために必要である。
【００４２】
一方、ピンブラッシュ(１２０)の配列は、を胴体(１１０)の外側に放射状配列に限定されないほうが望ましく、図８に示すように螺旋形に配置することもできる、これを図８を参照して説明する。
【００４３】
図８は、本発明に係る好適な実施例によるピンブラッシュの他の配置例を説明するために現わした正面図である。
【００４４】
図示のように、ピンブラッシュ(１２０)の配列は、螺旋状のコイルブラッシュ(１３０)に対応させて螺旋状に配置することもできる。
【００４５】
このようなピンブラッシュ(１２０)の螺旋状配列は、コイルブラッシュ(１３０)とともに、髪の毛を梳かしたりまたはウエーブのために毛髪を巻いて演出する際に、毛髪の絡み方あるいは流れが螺旋状になるので、さらに自然なスタイルの演出が可能になる。
【００４６】
すなわち、毛髪を梳かす時、毛髪がコイルブラッシュ(１３０)は勿論のこと、ピンブラッシュ(１２０)がガイドになって、髪の肌理または表面を螺旋方向に梳かしていって、特に、ヘアードライヤーとともに演出する場合、毛髪のウエーブを形成することがより容易になるは勿論のこと、従来のヘアー演出道具に比べてより自然な演出が可能になる。
【００４７】
以上、実施例に基づき本発明を詳細に説明したが、本発明は必ずこのような実施例で限定されるものではなく、本発明の技術的思想を逸脱しない範囲内で多様に変形実施されることができる。従って、本明細書または図面に開示された実施例は、本発明の技術思想を限定するためではなく、本発明の技術的思想を説明するためのものであって、このような実施例によって本発明の技術思想の範囲が安定することではない。つまり、本発明の保護範囲は、特許請求の範囲によって解釈されなければならないし、これと同等な範囲内にあるすべての技術思想は本発明の権利範囲に含まれるものである。
【００４８】
つまり、本発明は、毛髪が巻かれて外側に複数のピンブラッシュが設けられた胴体、；上記胴体と隔離された外側をくるんで、上記ピンブラッシュの間を区切るコイルブラッシュ；で構成する。
【００４９】
このような本発明は、毛髪の進入が一定して、お互いに違う列への流入を防止することで、毛髪の絡み状態は勿論のこと、ほつれ状態が良好で、特に髪の肌理または表面の擦れによった欠落は勿論、それによる痛みや損傷が防止されるため、快適なヘアスタイルの演出が可能になる。
【００５０】
ここで、上記胴体の両側にそれぞれ設けられ上記コイルブラッシュを支持する固定部を設けた場合には、容易にコイルブラッシュを支持することができる。
【００５１】
また、螺旋状のピンブラッシュ配列を採用した場合には、ウエーブ形態のヘアスタイルを演出する際に、コイルブラッシュあるいは螺旋状のピンブラッシュ配列を通じて毛髪の絡みまたは流れが螺旋状になるので、自然なスタイルの演出が可能である。
【００５２】
また、コイルブラッシュを、弾性を有する金属あるいは耐熱ポリマー材質で構成した場合には、落下あるいは外圧の衝撃に対しても強くなり、破損率を最小化させることができると共に、例え、毀損された場合でも、分離またが分解が容易で、交換するだけで使用の連続性を維持させることができる。
【００５３】
また、ピンブラッシュを、非金属の耐熱性材質で構成した場合には、頭皮と接する端部に保護副材がさらに具備されて、熱源によるやけどあるいは頭皮損傷を防止することができる。一方、ピンブラッシュがコイルブラッシュの外周よりも長いものと短いものとで形成した場合には、ヘアーの多様な演出に対応して各種のヘアーデザインを演出することができる。
【符号の説明】
【００５４】
１００：ヘアー演出道具
１１０：胴体
１１１：締結ホーム
１１３：取っ手
１２０：ピンブラッシュ
１２１：保護副材
１２３：長いピン
１２５：短いピン
１３０：コイルブラッシュ
１４０：固定部
１４１：下敷副材
１４３：締結部
１４５：締結突起
【図１】
2015029900.tif 000003
【図２】
2015029900.tif 000004
【図３】
2015029900.tif 000005
【図４】
2015029900.tif 000006
【図５】
2015029900.tif 000007
【図６】
2015029900.tif 000008
【図７】
2015029900.tif 000009
【図８】
2015029900.tif 000010